(57)【要約】【課題】簡便且つ確実に方向を判別することが可能な積層コンデンサ及び積層コンデンサの製造方法を提供すること。【解決手段】積層コンデンサＣ１は、素体Ｌと、素体Ｌの第一側面Ｌｃ側に配置された第一端子電極１と、素体Ｌの第二側面Ｌｄ側に配置された第二端子電極２と、素体Ｌの第三側面Ｌｅ側に配置された第一外部導体３と、素体Ｌの第四側面Ｌｆ側に配置された第二外部導体４と、素体Ｌ内に配置され、第一端子電極１に接続された第一内部電極と、素体Ｌ内に第一及び第二主面の対向方向で第一内部電極と対向するように配置され、第二端子電極２に接続された第二内部電極と、素体Ｌ内に配置され、第一端子電極１と第一外部導体３とに接続された第一内部導体１５と、素体Ｌ内に配置され、第二端子電極２と第二外部導体４とに接続された第二内部導体１７と、を備えている。【選択図】図４
2014157913.tif 000002
【特許請求の範囲】
【請求項１】
互いに対向する略矩形状の第一及び第二主面と、前記第一及び第二主面間を連結するように前記第一及び第二主面の第一辺方向に延び且つ互いに対向する第一及び第二側面と、前記第一及び第二主面間を連結するように前記第一辺方向に直交する第二辺方向に延び且つ互いに対向する第三及び第四側面と、を有する素体と、
前記素体の前記第一側面側に配置された第一端子電極と、
前記素体の前記第二側面側に配置された第二端子電極と、
前記素体の前記第三側面側に配置された第一外部導体と、
前記素体の前記第四側面側に配置された第二外部導体と、
前記素体内に配置され、前記第一端子電極に接続された第一内部電極と、
前記素体内に前記第一及び第二主面の対向方向で前記第一内部電極と対向するように配置され、前記第二端子電極に接続された第二内部電極と、
前記素体内に配置され、前記第一端子電極と前記第一外部導体とに接続された第一内部導体と、
前記素体内に配置され、前記第二端子電極と前記第二外部導体とに接続された第二内部導体と、を備えることを特徴とする積層コンデンサ。
【請求項２】
互いに対向する略矩形状の第一及び第二主面と、前記第一及び第二主面間を連結するように前記第一及び第二主面の第一辺方向に延び且つ互いに対向する第一及び第二側面と、前記第一及び第二主面間を連結するように前記第一辺方向に直交する第二辺方向に延び且つ互いに対向する第三及び第四側面と、を有する素体と、
前記素体の前記第一側面側に配置された第一端子電極と、
前記素体の前記第二側面側に配置された第二端子電極と、
前記素体の前記第三側面側に配置された第一外部導体と、
前記素体の前記第四側面側に配置された第二外部導体と、
前記素体内に配置され、前記第一端子電極に接続された第一内部電極と、
前記素体内に前記第一及び第二主面の対向方向で前記第一内部電極と対向するように配置され、前記第二端子電極に接続された第二内部電極と、
前記素体内に配置され、前記第一端子電極と前記第一外部導体とに接続された第一内部導体と、を備えることを特徴とする積層コンデンサ。
【請求項３】
互いに対向する略矩形状の第一及び第二主面と、前記第一及び第二主面間を連結するように前記第一及び第二主面の第一辺方向に延び且つ互いに対向する第一及び第二側面と、前記第一及び第二主面間を連結するように前記第一辺方向に直交する第二辺方向に延び且つ互いに対向する第三及び第四側面と、を有する素体と、
前記素体の前記第一側面側に配置された第一端子電極と、
前記素体の前記第二側面側に配置された第二端子電極と、
前記素体の前記第三側面側に配置された第一外部導体と、
前記素体の前記第四側面側に配置された第二外部導体と、
前記素体内に前記第一及び第二主面の対向方向に交互に配置された、それぞれ複数の第一及び第二内部電極と、を備え、
前記複数の第一内部電極すべてが、前記第一外部導体に接続され、
前記複数の第二内部電極すべてが、前記第二外部導体に接続されていることを特徴とする積層コンデンサ。
【請求項４】
互いに対向する略矩形状の第一及び第二主面と、前記第一及び第二主面間を連結するように前記第一及び第二主面の第一辺方向に延び且つ互いに対向する第一及び第二側面と、前記第一及び第二主面間を連結するように前記第一辺方向に直交する第二辺方向に延び且つ互いに対向する第三及び第四側面と、を有する素体と、
前記素体の前記第一側面側に配置された第一端子電極と、
前記素体の前記第二側面側に配置された第二端子電極と、
前記素体の前記第三側面側に配置された第一外部導体と、
前記素体の前記第四側面側に配置された第二外部導体と、
前記素体内に前記第一及び第二主面の対向方向に交互に配置された、それぞれ複数の第一及び第二内部電極と、を備え、
前記複数の第一内部電極すべてが、前記第一外部導体に接続されていることを特徴とする積層コンデンサ。
【請求項５】
請求項１〜４のいずれか一項に記載の積層コンデンサを準備する準備工程と、
前記第一端子電極及び前記第二端子電極のいずれか一方に第一プローブを接触させ、前記第一外部導体及び前記第二外部導体のいずれか一方に第二プローブを接触させて、前記積層コンデンサの電気的特性を測定し、前記積層コンデンサの方向を判別する判別工程と、を含むことを特徴とする積層コンデンサの製造方法。
【請求項６】
前記判別工程において判別した方向に基づいて、前記積層コンデンサを配置して梱包する梱包工程を更に含むことを特徴とする請求項５に記載の積層コンデンサの製造方法。
【発明の詳細な説明】
【技術分野】
【０００１】
本発明は、積層コンデンサと、当該積層コンデンサの製造方法と、に関する。
【背景技術】
【０００２】
積層コンデンサなどの電子部品として、方向を認識するためのマークが形成された素体を備えるものが知られている。電子部品の製造方法として、上記マークが形成された素体を備える電子部品を準備し、電子部品を撮像し、画像処理を行うことによりマークを検出し、この検出結果に基づいて電子部品の方向を判別するものが知られている（たとえば、特許文献１参照）。
【先行技術文献】
【特許文献】
【０００３】
【特許文献１】特開２００１−２１７６００号公報
【発明の概要】
【発明が解決しようとする課題】
【０００４】
しかしながら、画像処理を行うことによりマークを検出する場合、以下のような問題点が生じる懼れがある。予め、マークが形成された面が撮像されるように電子部品の方向を規定しておく必要があるため、工程が複雑となる懼れがある。撮像カメラ及び画像処理装置などを用意する必要があり、方向を識別するための装置が高価となる懼れもある。画像認識では、マークを誤認識してしまう懼れもある。電子部品（素体）にマークを形成する場合、特に、電子部品が小型化されていると、マークを形成する領域が極めて狭くなり、マークを適切に形成すること自体が困難となってしまう。
【０００５】
本発明は、簡便且つ確実に方向を判別することが可能な積層コンデンサ及び積層コンデンサの製造方法を提供することを目的とする。
【課題を解決するための手段】
【０００６】
本発明に係る積層コンデンサは、互いに対向する略矩形状の第一及び第二主面と、第一及び第二主面間を連結するように第一及び第二主面の第一辺方向に延び且つ互いに対向する第一及び第二側面と、第一及び第二主面間を連結するように第一辺方向に直交する第二辺方向に延び且つ互いに対向する第三及び第四側面と、を有する素体と、素体の第一側面側に配置された第一端子電極と、素体の第二側面側に配置された第二端子電極と、素体の第三側面側に配置された第一外部導体と、素体の第四側面側に配置された第二外部導体と、素体内に配置され、第一端子電極に接続された第一内部電極と、素体内に第一及び第二主面の対向方向で第一内部電極と対向するように配置され、第二端子電極に接続された第二内部電極と、素体内に配置され、第一端子電極と第一外部導体とに接続された第一内部導体と、素体内に配置され、第二端子電極と第二外部導体とに接続された第二内部導体と、を備えることを特徴とする。
【０００７】
本発明に係る積層コンデンサでは、第一内部導体は、第一端子電極を通して第一内部電極と電気的に接続されており、第二内部導体は、第二端子電極を通して第二内部電極と電気的に接続されている。第一外部導体には、第二内部導体が接続されておらず、第二外部導体には、第一内部導体が接続されていない。したがって、第一端子電極と第一外部導体との間、及び、第二端子電極と第二外部導体との間は、短絡した状態であり、第一端子電極と第二外部導体との間、及び、第二端子電極と第一外部導体との間は、静電容量が形成される状態である。第一端子電極及び第二端子電極のいずれか一方に接触させる第一プローブと、第一外部導体及び第二外部導体のいずれか一方に接触させる第二プローブと、を準備し、素体に対して第一及び第二プローブの位置を規定した状態で、第一プローブに第一端子電極及び第二端子電極のいずれか一方を接触させて、第二プローブに第一外部導体及び第二外部導体のいずれか一方を接触させて電気的特性を測定した場合、短絡した状態が検出されるか又は静電容量が形成された状態が検出されるかに基づいて、第一主面が上を向いているか又は第二主面が上を向いているかが判別されることとなる。本発明によれば、画像処理技術を用いることなく、簡便且つ確実に方向を判別することが可能な積層コンデンサを実現できる。
【０００８】
本発明に係る積層コンデンサは、互いに対向する略矩形状の第一及び第二主面と、第一及び第二主面間を連結するように第一及び第二主面の第一辺方向に延び且つ互いに対向する第一及び第二側面と、第一及び第二主面間を連結するように第一辺方向に直交する第二辺方向に延び且つ互いに対向する第三及び第四側面と、を有する素体と、素体の第一側面側に配置された第一端子電極と、素体の第二側面側に配置された第二端子電極と、素体の第三側面側に配置された第一外部導体と、素体の第四側面側に配置された第二外部導体と、素体内に配置され、第一端子電極に接続された第一内部電極と、素体内に第一及び第二主面の対向方向で第一内部電極と対向するように配置され、第二端子電極に接続された第二内部電極と、素体内に配置され、第一端子電極と第一外部導体とに接続された第一内部導体と、を備えることを特徴とする。
【０００９】
本発明に係る積層コンデンサでは、第一内部導体は、第一端子電極を通して第一内部電極と電気的に接続されている。第二外部導体は、第一内部電極、第二内部電極、及び第一内部導体と接続されていない。したがって、第一端子電極と第一外部導体との間は、短絡した状態であり、第二端子電極と第一外部導体との間は、静電容量が形成される状態である。第一端子電極と第二外部導体との間、及び、第二端子電極と第二外部導体との間は、絶縁された状態である。第一端子電極及び第二端子電極のいずれか一方に接触させる第一プローブと、第一外部導体及び第二外部導体のいずれか一方に接触させる第二プローブと、を準備し、素体に対して第一及び第二プローブの位置を規定した状態で、第一プローブに第一端子電極及び第二端子電極のいずれか一方を接触させて、第二プローブに第一外部導体及び第二外部導体のいずれか一方を接触させて電気的特性を測定した場合、短絡した状態が検出されるか又は静電容量が形成された状態が検出されるかに基づいて、第一主面が上を向いているか又は第二主面が上を向いているかが判別されることとなる。本発明によれば、画像処理技術を用いることなく、簡便且つ確実に方向を判別することが可能な積層コンデンサを実現できる。
【００１０】
本発明に係る積層コンデンサは、互いに対向する略矩形状の第一及び第二主面と、第一及び第二主面間を連結するように第一及び第二主面の第一辺方向に延び且つ互いに対向する第一及び第二側面と、第一及び第二主面間を連結するように第一辺方向に直交する第二辺方向に延び且つ互いに対向する第三及び第四側面と、を有する素体と、素体の第一側面側に配置された第一端子電極と、素体の第二側面側に配置された第二端子電極と、素体の第三側面側に配置された第一外部導体と、素体の第四側面側に配置された第二外部導体と、素体内に第一及び第二主面の対向方向に交互に配置された、それぞれ複数の第一及び第二内部電極と、を備え、複数の第一内部電極すべてが、第一外部導体に接続され、複数の第二内部電極すべてが、第二外部導体に接続されていることを特徴とする。
【００１１】
本発明に係る積層コンデンサでは、第一端子電極と第一外部導体とは、すべての第一内部電極を通して電気的に接続されており、第二端子電極と第二外部導体とは、すべての第二内部電極を通して電気的に接続されている。したがって、第一端子電極と第一外部導体との間、及び、第二端子電極と第二外部導体との間は、短絡した状態であり、第一端子電極と第二外部導体との間、及び、第二端子電極と第一外部導体との間は、静電容量が形成される状態である。第一端子電極及び第二端子電極のいずれか一方に接触させる第一プローブと、第一外部導体及び第二外部導体のいずれか一方に接触させる第二プローブと、を準備し、素体に対して第一及び第二プローブの位置を規定した状態で、第一プローブに第一端子電極及び第二端子電極のいずれか一方を接触させて、第二プローブに第一外部導体及び第二外部導体のいずれか一方を接触させて電気的特性を測定した場合、短絡した状態が検出されるか又は静電容量が形成された状態が検出されるかに基づいて、第一主面が上を向いているか又は第二主面が上を向いているかが判別されることとなる。本発明によれば、画像処理技術を用いることなく、簡便且つ確実に方向を判別することが可能な積層コンデンサを実現できる。
【００１２】
本発明に係る積層コンデンサは、互いに対向する略矩形状の第一及び第二主面と、第一及び第二主面間を連結するように第一及び第二主面の第一辺方向に延び且つ互いに対向する第一及び第二側面と、第一及び第二主面間を連結するように第一辺方向に直交する第二辺方向に延び且つ互いに対向する第三及び第四側面と、を有する素体と、素体の第一側面側に配置された第一端子電極と、素体の第二側面側に配置された第二端子電極と、素体の第三側面側に配置された第一外部導体と、素体の第四側面側に配置された第二外部導体と、素体内に第一及び第二主面の対向方向に交互に配置された、それぞれ複数の第一及び第二内部電極と、を備え、複数の第一内部電極すべてが、第一外部導体に接続されている。
【００１３】
本発明に係る積層コンデンサでは、第一端子電極と第一外部導体とは、すべての第一内部電極を通して電気的に接続されている。すべての第二内部電極は、第二端子電極に接続されているものの、第二外部導体には接続されていない。すなわち、第二外部導体は、第一及び第二端子電極と電気的に接続されていない。したがって、第一端子電極と第一外部導体との間は、短絡した状態であり、第二端子電極と第一外部導体との間は、静電容量が形成される状態である。第一端子電極と第二外部導体との間、及び、第二端子電極と第二外部導体との間は、絶縁された状態である。第一端子電極及び第二端子電極のいずれか一方に接触させる第一プローブと、第一外部導体及び第二外部導体のいずれか一方に接触させる第二プローブと、を準備し、素体に対して第一及び第二プローブの位置を規定した状態で、第一プローブに第一端子電極及び第二端子電極のいずれか一方を接触させて、第二プローブに第一外部導体及び第二外部導体のいずれか一方を接触させて電気的特性を測定した場合、短絡した状態が検出されるか又は静電容量が形成された状態が検出されるかに基づいて、第一主面が上を向いているか又は第二主面が上を向いているかが判別されることとなる。本発明によれば、画像処理技術を用いることなく、簡便且つ確実に方向を判別することが可能な積層コンデンサを実現できる。
【００１４】
本発明に係る積層コンデンサの製造方法は、上記積層コンデンサを準備する準備工程と、第一端子電極及び第二端子電極のいずれか一方に第一プローブを接触させ、第一外部導体及び第二外部導体のいずれか一方に第二プローブを接触させて、積層コンデンサの電気的特性を測定し、積層コンデンサの方向を判別する判別工程と、を含むことを特徴とする。
【００１５】
本発明に係る積層コンデンサの製造方法では、上述したように、簡便且つ確実に積層コンデンサの方向を判別することができる。
【００１６】
判別工程において判別した方向に基づいて、積層コンデンサを配置して梱包する梱包工程を更に含んでいてもよい。この場合には、方向が揃うように、積層コンデンサを配置して梱包することができる。
【発明の効果】
【００１７】
本発明によれば、簡便且つ確実に方向を判別することが可能な積層コンデンサ及び積層コンデンサの製造方法を提供することができる。
【図面の簡単な説明】
【００１８】
【図１】第１実施形態に係る積層コンデンサを示す斜視図である。
【図２】第１実施形態に係る積層コンデンサの断面構成を説明するための図である。
【図３】第一及び第二内部電極を示す図である。
【図４】第一及び第二内部導体を示す図である。
【図５】判別工程を説明するための図である。
【図６】判別工程を説明するための図である。
【図７】判別工程を説明するための図である。
【図８】判別工程を説明するための図である。
【図９】梱包工程を説明するための図である。
【図１０】第２実施形態に係る積層コンデンサの断面構成を説明するための図である。
【図１１】判別工程を説明するための図である。
【図１２】判別工程を説明するための図である。
【図１３】判別工程を説明するための図である。
【図１４】判別工程を説明するための図である。
【図１５】梱包工程を説明するための図である。
【図１６】第３実施形態に係る積層コンデンサの断面構成を説明するための図である。
【図１７】第一及び第二内部電極を示す図である。
【図１８】判別工程を説明するための図である。
【図１９】判別工程を説明するための図である。
【図２０】判別工程を説明するための図である。
【図２１】判別工程を説明するための図である。
【図２２】梱包工程を説明するための図である。
【図２３】第４実施形態に係る積層コンデンサの断面構成を説明するための図である。
【図２４】第一及び第二内部電極を示す図である。
【図２５】判別工程を説明するための図である。
【図２６】判別工程を説明するための図である。
【図２７】判別工程を説明するための図である。
【図２８】判別工程を説明するための図である。
【図２９】梱包工程を説明するための図である。
【図３０】本実施形態の変形例に係る積層コンデンサの断面構成を説明するための図である。
【発明を実施するための形態】
【００１９】
以下、添付図面を参照して、本発明の好適な実施形態について詳細に説明する。なお、説明において、同一要素又は同一機能を有する要素には、同一符号を用いることとし、重複する説明は省略する。
【００２０】
（第１実施形態）
まず、図１及び図２を参照して、第１実施形態に係る積層コンデンサＣ１の構成を説明する。図１は、第１実施形態に係る積層コンデンサを示す斜視図である。図２は、第１実施形態に係る積層コンデンサの断面構成を説明するための図である。
【００２１】
図１に示されるように、積層コンデンサＣ１は、誘電特性を有する素体Ｌと、素体Ｌの外表面に配置される第一及び第二端子電極１，２と、素体Ｌの外表面に配置される第一及び第二外部導体３，４と、を備えている。
【００２２】
素体Ｌは、図１に示されるように、略直方体形状であり、その外表面として、対向する略長方形状の第一及び第二主面Ｌａ，Ｌｂと、対向する第一及び第二側面Ｌｃ，Ｌｄと、対向する第三及び第四側面Ｌｅ，Ｌｆと、を有する。第一及び第二側面Ｌｃ，Ｌｄは、第一及び第二主面間を連結するように第一及び第二主面Ｌａ，Ｌｂの短辺方向に伸びている。第三及び第四側面Ｌｅ，Ｌｆは、第一及び第二主面間を連結するように第一及び第二主面Ｌａ，Ｌｂの長辺方向に伸びている。
【００２３】
第一端子電極１は、素体Ｌの第一側面Ｌｃ側に配置されている。第一端子電極１は、第一側面Ｌｃ全面を覆うように、第一及び第二主面Ｌａ，Ｌｂ並びに第三及び第四側面Ｌｅ，Ｌｆの端部（第一側面Ｌｃ側の端部）に亘って形成されている。第二端子電極２は、素体Ｌの第二側面Ｌｄ側に配置されている。第二端子電極２は、第二側面Ｌｄ全面を覆うように、第一及び第二主面Ｌａ，Ｌｂ並びに第三及び第四側面Ｌｅ，Ｌｆの端部（第二側面Ｌｄ側の端部）に亘って形成されている。第一及び第二端子電極１，２は、第一及び第二側面Ｌｃ，Ｌｄの対向方向に対向している。
【００２４】
第一外部導体３は、素体Ｌの第三側面Ｌｅ側に配置されている。第一外部導体３は、第三側面Ｌｅの第一及び第二側面Ｌｃ，Ｌｄの対向方向の略中央を、第一及び第二主面Ｌａ，Ｌｂの対向方向に沿って横断するように覆っている。第一外部導体３は、さらに第一及び第二主面Ｌａ，Ｌｂの第三側面Ｌｅ側の端部の一部も覆っている。
【００２５】
第二外部導体４は、素体Ｌの第四側面Ｌｆ側に配置されている。第二外部導体４は、第四側面Ｌｆの第一及び第二側面Ｌｃ，Ｌｄの対向方向の略中央を、第一及び第二主面Ｌａ，Ｌｂの対向方向に沿って横断するように覆っている。第二外部導体４は、さらに第一及び第二主面Ｌａ，Ｌｂの第四側面Ｌｆ側の端部の一部も覆っている。第一及び第二外部導体３，４は、第三及び第四側面Ｌｅ，Ｌｆの対向方向に対向している。
【００２６】
第一及び第二端子電極１，２と第一及び第二外部導体３，４とは、たとえば導電性金属粉末及びガラスフリットを含む導電性ペーストを素体Ｌの外表面に付与し、焼き付けることによって形成される。必要に応じて、焼き付けられた端子電極及び外部導体の上にめっき層が形成されることもある。端子電極１，２及び外部導体３，４は、素体Ｌの外表面上においては互いに電気的に絶縁されて形成されている。
【００２７】
素体Ｌは、第一及び第二主面Ｌａ，Ｌｂの対向方向に複数の絶縁体層が積層されて構成されている。すなわち、素体Ｌでは、第一及び第二主面Ｌａ，Ｌｂの対向方向が、複数の絶縁体層の積層方向と一致する。各絶縁体層は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。実際の素体Ｌでは、各絶縁体層の間の境界が視認できない程度に一体化されている。
【００２８】
素体Ｌは、図２に示されるように、内層部Ｌ１と、内層部Ｌ１を間に挟むように配置された一対の外層部Ｌ２，Ｌ３とを有する。外層部Ｌ２における、内層部Ｌ１に接する主面と対向する主面が、第一主面Ｌａを構成している。外層部Ｌ３における、内層部Ｌ１に接する主面と対向する主面が、第二主面Ｌｂを構成している。本実施形態では、外層部Ｌ２の厚みが、外層部Ｌ３の厚みよりも厚く設定されている。
【００２９】
積層コンデンサＣ１は、図２に示されるように、複数の第一内部電極１１と、複数の第二内部電極１３と、第一内部導体１５と、第二内部導体１７と、を備えている。複数の第一内部電極１１、複数の第二内部電極１３、第一内部導体１５、及び第二内部導体１７は、内層部Ｌ１に配置されている。内部電極１１，１３及び内部導体１５，１７は、積層型の電気素子の内部電極として通常用いられる導電性材料（たとえば、Ｎｉ又はＣｕなど）からなる。内部電極１１，１３及び内部導体１５，１７は、上記導電性材料を含む導電性ペーストの焼結体として構成される。
【００３０】
第一内部電極１１と第二内部電極１３とは、第一及び第二主面Ｌａ，Ｌｂの対向方向（複数の絶縁体層の積層方向）において異なる位置（層）に配置されている。すなわち、第一内部電極１１と第二内部電極１３とは、素体Ｌ内において、第一及び第二主面Ｌａ，Ｌｂの対向方向に間隔を有して対向するように交互に配置されている。
【００３１】
第一及び第二内部導体１５，１７は、第一及び第二内部電極１１，１３と、第一及び第二主面Ｌａ，Ｌｂの対向方向において異なる位置（層）に配置されている。第一内部導体１５と第二内部導体１７とも、第一及び第二主面Ｌａ，Ｌｂの対向方向において互いに異なる位置（層）に配置されている。本実施形態では、第一及び第二内部導体１５，１７並びに第一及び第二内部電極１１，１３は、極性が交互に異なるように、素体Ｌ内に配置されている。すなわち、第一内部導体１５と第二内部導体１７とは、第一及び第二内部電極１１，１３と同様に、静電容量を生じさせる内部電極としても機能する。
【００３２】
図３（ａ）にも示されるように、第一内部電極１１は、主電極部１１ａと、引出電極部１１ｂと、を有している。引出電極部１１ｂは、主電極部１１ａから第一側面Ｌｃに露出するように延びている。主電極部１１ａと、引出電極部１１ｂとは、一体的に形成されている。主電極部１１ａは、第一及び第二側面Ｌｃ，Ｌｄの対向方向を長辺方向とし、第三及び第四側面Ｌｅ，Ｌｆの対向方向を短辺方向とする矩形形状を呈している。引出電極部１１ｂは、主電極部１１ａの第一側面Ｌｃ側の端部から主電極部１１ａと同じ幅で第一側面Ｌｃまで延びている。引出電極部１１ｂは、その端が第一側面Ｌｃに露出し、当該露出した端部で第一端子電極１に接続されている。
【００３３】
図３（ｂ）にも示されるように、第二内部電極１３は、主電極部１３ａと、引出電極部１３ｂと、を有している。引出電極部１３ｂは、主電極部１３ａから第二側面Ｌｄに露出するように延びている。主電極部１３ａと、引出電極部１３ｂとは、一体的に形成されている。主電極部１３ａは、第一内部電極１１（主電極部１１ａ）と対向している。主電極部１３ａは、第一及び第二側面Ｌｃ，Ｌｄの対向方向を長辺方向とし、第三及び第四側面Ｌｅ，Ｌｆの対向方向を短辺方向とする矩形形状を呈している。引出電極部１３ｂは、主電極部１３ａの第二側面Ｌｄ側の端部から主電極部１３ａと同じ幅で第二側面Ｌｄまで延びている。引出電極部１３ｂは、その端が第二側面Ｌｄに露出し、当該露出した端部で第二端子電極２に接続されている。
【００３４】
第一端子電極１は、引出電極部１１ｂの第一側面Ｌｃに露出した部分をすべて覆うように形成されており、引出電極部１１ｂは、第一端子電極１に物理的且つ電気的に接続される。これにより、各第一内部電極１１は、第一端子電極１に接続されることとなる。第二端子電極２は、引出電極部１３ｂの第二側面Ｌｄに露出した部分をすべて覆うように形成されており、引出電極部１３ｂは、第二端子電極２に物理的且つ電気的に接続される。これにより、各第二内部電極１３は、第二端子電極２に接続されることとなる。
【００３５】
図４（ａ）にも示されるように、第一内部導体１５は、第一導体部分１５ａと、第二導体部分１５ｂと、第三導体部分１５ｃと、を有している。第二導体部分１５ｂは、第一導体部分１５ａから第一側面Ｌｃに露出するように延びている。第三導体部分１５ｃは、第一導体部分１５ａから第三側面Ｌｅに露出するように延びている。第一導体部分１５ａ、第二導体部分１５ｂ、及び第三導体部分１５ｃは、一体的に形成されている。
【００３６】
第一導体部分１５ａは、第一及び第二側面Ｌｃ，Ｌｄの対向方向を長辺方向とし、第三及び第四側面Ｌｅ，Ｌｆの対向方向を短辺方向とする矩形形状を呈している。第二導体部分１５ｂは、第一導体部分１５ａの第一側面Ｌｃ側の端部から第一導体部分１５ａと同じ幅で第一側面Ｌｃまで延びている。第二導体部分１５ｂは、その端が第一側面Ｌｃに露出し、当該露出した端部で第一端子電極１に接続されている。第三導体部分１５ｃは、第一導体部分１５ａの第三側面Ｌｅ側の端部から第三側面Ｌｅまで延びている。第三導体部分１５ｃは、その端が第三側面Ｌｅに露出し、当該露出した端部で第一外部導体３に接続されている。
【００３７】
図４（ｂ）にも示されるように、第二内部導体１７は、第一導体部分１７ａと、第二導体部分１７ｂと、第三導体部分１７ｃと、を有している。第二導体部分１７ｂは、第一導体部分１７ａから第二側面Ｌｄに露出するように延びている。第三導体部分１７ｃは、第一導体部分１７ａから第四側面Ｌｆに露出するように延びている。第一導体部分１７ａ、第二導体部分１７ｂ、及び第三導体部分１７ｃは、一体的に形成されている。
【００３８】
第一導体部分１７ａは、第一及び第二側面Ｌｃ，Ｌｄの対向方向を長辺方向とし、第三及び第四側面Ｌｅ，Ｌｆの対向方向を短辺方向とする矩形形状を呈している。第二導体部分１７ｂは、第一導体部分１７ａの第二側面Ｌｄ側の端部から第一導体部分１７ａと同じ幅で第二側面Ｌｄまで延びている。第二導体部分１７ｂは、その端が第二側面Ｌｄに露出し、当該露出した端部で第二端子電極２に接続されている。第三導体部分１７ｃは、第一導体部分１７ａの第四側面Ｌｆ側の端部から第四側面Ｌｆまで延びている。第三導体部分１７ｃは、その端が第四側面Ｌｆに露出し、当該露出した端部で第二外部導体４に接続されている。
【００３９】
第一端子電極１は、第二導体部分１５ｂの第一側面Ｌｃに露出した部分もすべて覆うように形成されており、第二導体部分１５ｂは、第一端子電極１に物理的且つ電気的に接続される。第一外部導体３は、第三導体部分１５ｃの第三側面Ｌｅに露出した部分をすべて覆うように形成されており、第二導体部分１５ｂは、第一外部導体３に物理的且つ電気的に接続される。これらにより、各第一内部導体１５は、第一端子電極１と第一外部導体３とに接続されることとなる。
【００４０】
第二端子電極２は、第二導体部分１７ｂの第二側面Ｌｄに露出した部分もすべて覆うように形成されており、第二導体部分１７ｂは、第二端子電極２に物理的且つ電気的に接続される。第二外部導体４は、第三導体部分１７ｃの第四側面Ｌｆに露出した部分をすべて覆うように形成されており、第二導体部分１７ｂは、第二外部導体４に物理的且つ電気的に接続される。これらにより、各第二内部導体１７は、第二端子電極２と第二外部導体４とに接続されることとなる。
【００４１】
積層コンデンサＣ１では、第一主面Ｌａを、電子機器（たとえば、回路基板や電子部品など）に対する実装面として電子機器に実装されることが好ましい。素体Ｌの第一主面Ｌａが回路基板と対向するように積層コンデンサＣ１を実装する場合、第一及び第二端子電極１，２は、基板上に形成され信号配線に接続されたランド電極に接続される。第一及び第二外部導体３，４は、基板上に形成され信号配線に接続されたランド電極には接続されない。すなわち、第一及び第二端子電極１，２のみが配線と電気的に接続されることとなり、第一及び第二外部導体３，４は配線と電気的に接続されていない。第一及び第二外部導体３，４は、配線と電気的に絶縁されているランド電極であれば、当該ランド電極に接続されていてもよい。
【００４２】
積層コンデンサに電圧を印加した場合、電歪効果によって素体に印加電圧に応じた大きさの機械的歪みが生じる。特に交流電圧を印加したときには、この機械的歪みによって積層コンデンサに振動（以下、電歪振動）が発生する。そのため、積層コンデンサを電子機器に実装し、交流電圧を印加すると、電歪振動が電子機器に伝播して、いわゆる音鳴きが発生する懼れがある。
【００４３】
積層コンデンサＣ１では、外層部Ｌ２の厚みが、外層部Ｌ３の厚みよりも厚く設定されている。積層コンデンサＣ１は、素体Ｌの第一主面Ｌａが電子機器と対向するように実装されていると、電子機器から内層部Ｌ１までの間隔が比較的離れることとなり、電歪振動が電子機器に伝搬し難く、音鳴きの発生を抑制することができる。したがって、積層コンデンサＣ１は、実装する際に、第一主面Ｌａが電子機器と対向するように、素体Ｌの方向（第一及び第二主面Ｌａ，Ｌｂの対向方向での方向）が揃えられた状態で、後述する梱包材３０に梱包されていることが好ましい。
【００４４】
次に、図５〜図９を参照して、第１実施形態に係る積層コンデンサＣ１の製造方法について説明する。図５〜図８は、判別工程を説明するための図である。図９は、梱包工程を説明するための図である。
【００４５】
まず、積層コンデンサＣ１を準備する（準備工程）。積層コンデンサＣ１は、電極パターンが形成されたセラミックグリーンシートを積層し、シート積層体を形成する積層体形成工程、シート積層体を個々の積層体チップに切断する切断工程、積層体チップを焼成し、素体を得る焼成工程、及び、素体に端子電極（外部導体）などを形成する端子電極形成工程を経て、準備される。これらの各工程は、当該技術分野では既知であり、これ以上の詳細な説明を省略する。
【００４６】
次に、準備した積層コンデンサＣ１の方向を判別する（判別工程）。ここでは、図５〜図８に示された判別装置２１を用い、積層コンデンサＣ１の方向として、第一及び第二主面Ｌａ，Ｌｂの対向方向での方向、すなわち第一主面Ｌａが上を向いているか、又は、第二主面Ｌｂが上を向いているかが判別される。判別装置２１は、第一プローブ２３、第二プローブ２５、及び、第一及び第二プローブ２３，２５が接続された測定器２７を備えている。
【００４７】
測定器２７は、積層コンデンサＣ１の電気的特性を測定する。本実施形態では、測定器２７は、第一プローブ２３と第二プローブ２５との間が、静電容量が形成された状態、短絡した状態、及び絶縁された状態のいずれかの状態にあるかを測定する。第一プローブ２３と第二プローブ２５とは、第一プローブ２３が第一端子電極１及び第二端子電極２のいずれか一方に接触すると共に第二プローブ２５が第一外部導体３及び第二外部導体４のいずれか一方に接触するように、その位置が素体Ｌ（積層コンデンサＣ１）に対して規定されている。
【００４８】
判別装置２１を用意し、図５〜図８に示されるように、積層コンデンサＣ１を判別装置２１に順次セットし、各積層コンデンサＣ１の方向を判別する。ここでは、以下のようにして、積層コンデンサＣ１が判別装置２１にセットされた状態において、積層コンデンサＣ１の方向が判別される。
【００４９】
図５では、第一プローブ２３に接触された端子電極が第一端子電極１であると共に第二プローブ２５に接触された外部導体が第一外部導体３である状態で、積層コンデンサＣ１が判別装置２１にセットされている。第一端子電極１と第一外部導体３とは第一内部導体１５を通して電気的に接続されているため、第一端子電極１と第一外部導体３との間は短絡した状態にある。したがって、測定器２７は、第一プローブ２３と第二プローブ２５との間が、短絡した状態であると判定し、積層コンデンサＣ１の方向が、第一主面Ｌａが上を向いている状態にあることが判別される。
【００５０】
図６では、第一プローブ２３に接触された端子電極が第二端子電極２であると共に第二プローブ２５に接触された外部導体が第二外部導体４である状態で、積層コンデンサＣ１が判別装置２１にセットされている。第二端子電極２と第二外部導体４とは第二内部導体１７を通して電気的に接続されているため、第二端子電極２と第二外部導体４との間は短絡した状態にある。したがって、測定器２７は、第一プローブ２３と第二プローブ２５との間が、短絡した状態であると判定し、積層コンデンサＣ１の方向が、第一主面Ｌａが上を向いている状態にあることが判別される。
【００５１】
図７では、第一プローブ２３に接触された端子電極が第二端子電極２であると共に第二プローブ２５に接触された外部導体が第一外部導体３である状態で、積層コンデンサＣ１が判別装置２１にセットされている。第一外部導体３は、第一内部導体１５及び第一端子電極１を通して第一内部電極１１と電気的に接続されているため、第二端子電極２と第一外部導体３との間は静電容量が形成される状態にある。したがって、測定器２７は、第一プローブ２３と第二プローブ２５との間が、静電容量が形成された状態であると判定し、積層コンデンサＣ１の方向が、第二主面Ｌｂが上を向いている状態にあることが判別される。
【００５２】
図８では、第一プローブ２３に接触された端子電極が第一端子電極１であると共に第二プローブ２５に接触された外部導体が第二外部導体４である状態で、積層コンデンサＣ１が判別装置２１にセットされている。第二外部導体４は、第二内部導体１７及び第二端子電極２を通して第二内部電極１３と電気的に接続されているため、第一端子電極１と第二外部導体４との間は静電容量が形成される状態にある。したがって、測定器２７は、第一プローブ２３と第二プローブ２５との間が、静電容量が形成された状態であると判定し、積層コンデンサＣ１の方向が、第二主面Ｌｂが上を向いている状態にあることが判別される。
【００５３】
次に、判別工程において判別した積層コンデンサＣ１の方向に基づいて、積層コンデンサＣ１の方向が揃えられた状態で、積層コンデンサＣ１を配置して梱包する（梱包工程）。ここでは、図９に示されるように、積層コンデンサＣ１では梱包材３０に梱包される。梱包材３０は、キャリアテープ３１及びカバーテープ３２からなる。キャリアテープ３１には、断面が四角形状の凹部３１ａが２次元に配列して複数形成されている。この凹部３１ａにそれぞれ積層コンデンサＣ１が収容される。
【００５４】
積層コンデンサＣ１は、第二主面Ｌｂがキャリアテープ３１の開口部側を向くように、凹部３１ａに収容される。すなわち、積層コンデンサＣ１は、第一主面Ｌａが凹部３１ａの底面と対向するように、凹部３１ａに収容される。その後、カバーテープ３２により、凹部３１ａの開口部が覆われて、梱包が完了する。積層コンデンサＣ１の梱包材３０への梱包では、第二主面Ｌｂが上を向いている状態にあると判別工程にて判別された積層コンデンサＣ１のみを選別し、選別された積層コンデンサＣ１を、第二主面Ｌｂが上を向いた状態を維持して、凹部３１ａに収容してもよい。
【００５５】
梱包材３０に梱包された積層コンデンサＣ１は、キャリアテープ３１の凹部３１ａから表面実装マウンターの吸着ヘッドでピッキングされることにより、電子機器にマウントされる。マウント時の積層コンデンサＣ１の実装方向は、キャリアテープ３１の凹部３１ａに積層コンデンサＣ１を収納する際の方向によって決定される。本実施形態では、梱包工程にて、第二主面Ｌｂがキャリアテープ３１の開口部側を向く形で梱包されているため、吸着ノズルは第二主面Ｌｂに当接することになる。これにより、第二主面Ｌｂと対向する第一主面Ｌａが実装基板の実装面側となる。
【００５６】
以上のように、本第１実施形態によれば、画像処理技術を用いることなく、簡便且つ確実に積層コンデンサＣ１の方向を判別することができる。また、方向を認識するためのマークを素体Ｌに形成することなく、積層コンデンサＣ１の方向を判別することができる。したがって、小型化が図られた積層コンデンサＣ１の方向を判別するに際しても、その方向を確実に判別することができる。
【００５７】
（第２実施形態）
次に、図１０を参照して、第２実施形態に係る積層コンデンサＣ２の構成を説明する。図１０は、第２実施形態に係る積層コンデンサの断面構成を説明するための図である。
【００５８】
積層コンデンサＣ２は、積層コンデンサＣ１と同じく、素体Ｌと、素体Ｌの外表面に配置される第一及び第二端子電極１，２並びに第一及び第二外部導体３，４と、を備えている。積層コンデンサＣ２は、図１０に示されるように、複数の第一内部電極１１と、複数の第二内部電極１３と、第一内部導体１５と、を備えている。すなわち、積層コンデンサＣ２は、第二内部導体１７を備えていない点で積層コンデンサＣ１と相違する。
【００５９】
第二外部導体４には、第一及び第二内部電極１１，１３並びに第一内部導体１５は接続されていない。したがって、第二外部導体４は、第一及び第二端子電極１，２並びに第一外部導体３から電気的に浮遊した状態にある。
【００６０】
次に、図１１〜図１５を参照して、第２実施形態に係る積層コンデンサＣ２の製造方法について説明する。図１１〜図１４は、判別工程を説明するための図である。図１５は、梱包工程を説明するための図である。
【００６１】
まず、積層コンデンサＣ２を準備する（準備工程）。本準備工程は、積層コンデンサＣ１の準備工程と同じく、当該技術分野では既知であり、詳細な説明を省略する。
【００６２】
次に、準備した積層コンデンサＣ２の方向を判別する（判別工程）。ここでは、第１実施形態と同じく、判別装置２１を用い、積層コンデンサＣ２の方向として、第一及び第二主面Ｌａ，Ｌｂの対向方向での方向、すなわち第一主面Ｌａが上を向いているか、又は、第二主面Ｌｂが上を向いているかが判別される。
【００６３】
判別装置２１を用意し、図１１〜図１５に示されるように、積層コンデンサＣ２を判別装置２１に順次セットし、各積層コンデンサＣ２の方向を判別する。ここでは、以下のようにして、積層コンデンサＣ２が判別装置２１にセットされた状態において、積層コンデンサＣ２の方向が判別される。
【００６４】
図１１では、第一プローブ２３に接触された端子電極が第一端子電極１であると共に第二プローブ２５に接触された外部導体が第一外部導体３である状態で、積層コンデンサＣ２が判別装置２１にセットされている。第一端子電極１と第一外部導体３とは第一内部導体１５を通して電気的に接続されているため、第一端子電極１と第一外部導体３との間は短絡した状態にある。したがって、測定器２７は、第一プローブ２３と第二プローブ２５との間が、短絡した状態であると判定し、積層コンデンサＣ２の方向が、第一主面Ｌａが上を向いている状態にあることが判別される。
【００６５】
図１２では、第一プローブ２３に接触された端子電極が第二端子電極２であると共に第二プローブ２５に接触された外部導体が第二外部導体４である状態で、積層コンデンサＣ２が判別装置２１にセットされている。第二端子電極２と第二外部導体４とは電気的に接続されていないため、第二端子電極２と第二外部導体４との間は絶縁された状態にある。したがって、測定器２７は、第一プローブ２３と第二プローブ２５との間が、絶縁された状態であると判定し、積層コンデンサＣ２の方向が不明であることが判別される。
【００６６】
図１３では、第一プローブ２３に接触された端子電極が第二端子電極２であると共に第二プローブ２５に接触された外部導体が第一外部導体３である状態で、積層コンデンサＣ２が判別装置２１にセットされている。第一外部導体３は、第一内部導体１５及び第一端子電極１を通して第一内部電極１１と電気的に接続されているため、第二端子電極２と第一外部導体３との間は静電容量が形成される状態にある。したがって、測定器２７は、第一プローブ２３と第二プローブ２５との間が、静電容量が形成された状態であると判定し、積層コンデンサＣ２の方向が、第二主面Ｌｂが上を向いている状態にあることが判別される。
【００６７】
図１４では、第一プローブ２３に接触された端子電極が第一端子電極１であると共に第二プローブ２５に接触された外部導体が第二外部導体４である状態で、積層コンデンサＣ２が判別装置２１にセットされている。第一端子電極１と第二外部導体４とは電気的に接続されていないため、第一端子電極１と第二外部導体４との間は絶縁された状態にある。したがって、測定器２７は、第一プローブ２３と第二プローブ２５との間が、絶縁された状態であると判定し、積層コンデンサＣ２の方向が不明であることが判別される。
【００６８】
次に、判別工程において判別した積層コンデンサＣ２の方向に基づいて、積層コンデンサＣ２の方向が揃えられた状態で、積層コンデンサＣ２を配置して梱包する（梱包工程）。積層コンデンサＣ２は、図１５に示されるように、第二主面Ｌｂがキャリアテープ３１の開口部側を向くように、凹部３１ａに収容される。その後、カバーテープ３２により、凹部３１ａの開口部が覆われて、梱包が完了する。積層コンデンサＣ２の梱包材３０への梱包では、第二主面Ｌｂが上を向いている状態にあると判別工程にて判別された積層コンデンサＣ２のみを選別し、選別された積層コンデンサＣ２を、第二主面Ｌｂが上を向いた状態を維持して、凹部３１ａに収容してもよい。
【００６９】
以上のように、本第２実施形態によっても、画像処理技術を用いることなく、簡便且つ確実に積層コンデンサＣ２の方向を判別することができる。また、方向を認識するためのマークを素体Ｌに形成することなく、積層コンデンサＣ２の方向を判別することができる。したがって、小型化が図られた積層コンデンサＣ２の方向を判別するに際しても、その方向を確実に判別することができる。
【００７０】
（第３実施形態）
次に、図１６を参照して、第３実施形態に係る積層コンデンサＣ３の構成を説明する。図１６は、第３実施形態に係る積層コンデンサの断面構成を説明するための図である。
【００７１】
積層コンデンサＣ３は、積層コンデンサＣ１と同じく、素体Ｌと、素体Ｌの外表面に配置される第一及び第二端子電極１，２並びに第一及び第二外部導体３，４と、を備えている。積層コンデンサＣ３は、図１６に示されるように、複数の第一内部電極１１と、複数の第二内部電極１３と、を備えている。本第３実施形態では、素体Ｌ内に配置される導体は、複数の第一及び第二内部電極１１，１３のみである。
【００７２】
図１７（ａ）にも示されるように、すべての第一内部電極１１は、主電極部１１ａと、引出電極部１１ｂと、引出電極部１１ｃと、を有している。引出電極部１１ｃは、主電極部１１ａから第三側面Ｌｅに露出するように延びている。主電極部１１ａ、引出電極部１１ｂ、及び引出電極部１１ｃは、一体的に形成されている。引出電極部１１ｃは、主電極部１１ａの第三側面Ｌｅ側の端部から第三側面Ｌｅまで延びている。引出電極部１１ｃは、その端が第三側面Ｌｅに露出し、当該露出した端部で第一外部導体３に接続されている。
【００７３】
図１７（ｂ）にも示されるように、すべての第二内部電極１３は、主電極部１３ａと、引出電極部１３ｂと、引出電極部１３ｃと、を有している。引出電極部１３ｃは、主電極部１３ａから第四側面Ｌｆに露出するように延びている。主電極部１３ａ、引出電極部１３ｂ、及び引出電極部１３ｃは、一体的に形成されている。引出電極部１３ｃは、主電極部１３ａの第四側面Ｌｆ側の端部から第四側面Ｌｆまで延びている。引出電極部１３ｃは、その端が第四側面Ｌｆに露出し、当該露出した端部で第二外部導体４に接続されている。
【００７４】
第一外部導体３は、引出電極部１１ｃの第三側面Ｌｅに露出した部分をすべて覆うように形成されており、引出電極部１１ｃは、第一外部導体３に物理的且つ電気的に接続される。これらにより、すべての第一内部電極１１は、第一端子電極１と第一外部導体３とに接続されることとなる。すべての第二内部電極１３は、第一外部導体３と接続されていない。
【００７５】
第二外部導体４は、引出電極部１３ｃの第四側面Ｌｆに露出した部分をすべて覆うように形成されており、引出電極部１３ｃは、第二外部導体４に物理的且つ電気的に接続される。これらにより、すべての第二内部電極１３は、第二端子電極２と第二外部導体４とに接続されることとなる。すべての第一内部電極１１は、第二外部導体４と接続されていない。
【００７６】
次に、図１８〜図２２を参照して、第３実施形態に係る積層コンデンサＣ３の製造方法について説明する。図１８〜図２１は、判別工程を説明するための図である。図２２は、梱包工程を説明するための図である。
【００７７】
まず、積層コンデンサＣ３を準備する（準備工程）。本準備工程は、積層コンデンサＣ１の準備工程と同じく、当該技術分野では既知であり、詳細な説明を省略する。
【００７８】
次に、準備した積層コンデンサＣ３の方向を判別する（判別工程）。ここでは、第１及び第２実施形態と同じく、判別装置２１を用い、積層コンデンサＣ３の方向として、第一及び第二主面Ｌａ，Ｌｂの対向方向での方向、すなわち第一主面Ｌａが上を向いているか、又は、第二主面Ｌｂが上を向いているかが判別される。
【００７９】
判別装置２１を用意し、図１８〜図２２に示されるように、積層コンデンサＣ３を判別装置２１に順次セットし、各積層コンデンサＣ３の方向を判別する。ここでは、以下のようにして、積層コンデンサＣ３が判別装置２１にセットされた状態において、積層コンデンサＣ３の方向が判別される。
【００８０】
図１８では、第一プローブ２３に接触された端子電極が第一端子電極１であると共に第二プローブ２５に接触された外部導体が第一外部導体３である状態で、積層コンデンサＣ３が判別装置２１にセットされている。第一端子電極１と第一外部導体３とはすべての第一内部電極１１を通して電気的に接続されているため、第一端子電極１と第一外部導体３との間は短絡した状態にある。したがって、測定器２７は、第一プローブ２３と第二プローブ２５との間が、短絡した状態であると判定し、積層コンデンサＣ３の方向が、第一主面Ｌａが上を向いている状態にあることが判別される。
【００８１】
図１９では、第一プローブ２３に接触された端子電極が第二端子電極２であると共に第二プローブ２５に接触された外部導体が第二外部導体４である状態で、積層コンデンサＣ３が判別装置２１にセットされている。第二端子電極２と第二外部導体４とはすべての第二内部電極１３を通して電気的に接続されているため、第二端子電極２と第二外部導体４との間は短絡した状態にある。したがって、測定器２７は、第一プローブ２３と第二プローブ２５との間が、短絡した状態であると判定し、積層コンデンサＣ３の方向が、第一主面Ｌａが上を向いている状態にあることが判別される。
【００８２】
図２０では、第一プローブ２３に接触された端子電極が第二端子電極２であると共に第二プローブ２５に接触された外部導体が第一外部導体３である状態で、積層コンデンサＣ３が判別装置２１にセットされている。第一外部導体３は、すべての第一内部電極１１と接続されているため、第二端子電極２と第一外部導体３との間は静電容量が形成される状態にある。したがって、測定器２７は、第一プローブ２３と第二プローブ２５との間が、静電容量が形成された状態であると判定し、積層コンデンサＣ３の方向が、第二主面Ｌｂが上を向いている状態にあることが判別される。
【００８３】
図２１では、第一プローブ２３に接触された端子電極が第一端子電極１であると共に第二プローブ２５に接触された外部導体が第二外部導体４である状態で、積層コンデンサＣ３が判別装置２１にセットされている。第二外部導体４は、すべての第二内部電極１３と接続されているため、第一端子電極１と第二外部導体４との間は静電容量が形成される状態にある。したがって、測定器２７は、第一プローブ２３と第二プローブ２５との間が、静電容量が形成された状態であると判定し、積層コンデンサＣ３の方向が、第二主面Ｌｂが上を向いている状態にあることが判別される。
【００８４】
次に、判別工程において判別した積層コンデンサＣ３の方向に基づいて、積層コンデンサＣ３の方向が揃えられた状態で、積層コンデンサＣ３を配置して梱包する（梱包工程）。積層コンデンサＣ３は、図２２に示されるように、第二主面Ｌｂがキャリアテープ３１の開口部側を向くように、凹部３１ａに収容される。その後、カバーテープ３２により、凹部３１ａの開口部が覆われて、梱包が完了する。積層コンデンサＣ３の梱包材３０への梱包では、第二主面Ｌｂが上を向いている状態にあると判別工程にて判別された積層コンデンサＣ３のみを選別し、選別された積層コンデンサＣ３を、第二主面Ｌｂが上を向いた状態を維持して、凹部３１ａに収容してもよい。
【００８５】
以上のように、本第３実施形態によれば、画像処理技術を用いることなく、簡便且つ確実に積層コンデンサＣ３の方向を判別することができる。また、方向を認識するためのマークを素体Ｌに形成することなく、積層コンデンサＣ３の方向を判別することができる。したがって、小型化が図られた積層コンデンサＣ３の方向を判別するに際しても、その方向を確実に判別することができる。
【００８６】
本第３実施形態では、積層コンデンサＣ３を製造する際に、第一内部電極１１を構成することとなる電極パターンと第二内部電極１３を構成することとなる電極パターンと、を形成すればよく、第１及び第２実施形態に比して、製造工程が簡便となる。
【００８７】
（第４実施形態）
次に、図２３を参照して、第４実施形態に係る積層コンデンサＣ４の構成を説明する。図２３は、第４実施形態に係る積層コンデンサの断面構成を説明するための図である。
【００８８】
積層コンデンサＣ４は、積層コンデンサＣ１と同じく、素体Ｌと、素体Ｌの外表面に配置される第一及び第二端子電極１，２並びに第一及び第二外部導体３，４と、を備えている。積層コンデンサＣ４は、図２３に示されるように、複数の第一内部電極１１と、複数の第二内部電極１３と、を備えている。本第４実施形態では、素体Ｌ内に配置される導体は、複数の第一及び第二内部電極１１，１３のみである。
【００８９】
図２４（ａ）にも示されるように、すべての第一内部電極１１は、主電極部１１ａと、引出電極部１１ｂと、引出電極部１１ｃと、を有している。図２４（ｂ）にも示されるように、すべての第二内部電極１３は、主電極部１３ａと、引出電極部１３ｂと、を有している。すなわち、本第４実施形態は、すべての第二内部電極１３が引出電極部１３ｃを有していない点で、上述した第３実施形態と相違する。
【００９０】
第一外部導体３には、すべての第一内部電極１１が接続され、第二外部導体４には、すべての第一及び第二内部電極１１，１３が接続されていない。したがって、第二外部導体４は、第一及び第二端子電極１，２並びに第一外部導体３から電気的に浮遊した状態にある。
【００９１】
次に、図２５〜図２９を参照して、第４実施形態に係る積層コンデンサＣ４の製造方法について説明する。図２５〜図２８は、判別工程を説明するための図である。図２９は、梱包工程を説明するための図である。
【００９２】
まず、積層コンデンサＣ４を準備する（準備工程）。本準備工程は、積層コンデンサＣ１の準備工程と同じく、当該技術分野では既知であり、詳細な説明を省略する。
【００９３】
次に、準備した積層コンデンサＣ４の方向を判別する（判別工程）。ここでは、第１〜第３実施形態と同じく、判別装置２１を用い、積層コンデンサＣ４の方向として、第一及び第二主面Ｌａ，Ｌｂの対向方向での方向、すなわち第一主面Ｌａが上を向いているか、又は、第二主面Ｌｂが上を向いているかが判別される。
【００９４】
判別装置２１を用意し、図２５〜図２８に示されるように、積層コンデンサＣ４を判別装置２１に順次セットし、各積層コンデンサＣ４の方向を判別する。ここでは、以下のようにして、積層コンデンサＣ４が判別装置２１にセットされた状態において、積層コンデンサＣ４の方向が判別される。
【００９５】
図２５では、第一プローブ２３に接触された端子電極が第一端子電極１であると共に第二プローブ２５に接触された外部導体が第一外部導体３である状態で、積層コンデンサＣ４が判別装置２１にセットされている。第一端子電極１と第一外部導体３とは、すべての第一内部電極１１を通して電気的に接続されているため、第一端子電極１と第一外部導体３との間は短絡した状態にある。したがって、測定器２７は、第一プローブ２３と第二プローブ２５との間が、短絡した状態であると判定し、積層コンデンサＣ４の方向が、第一主面Ｌａが上を向いている状態にあることが判別される。
【００９６】
図２６では、第一プローブ２３に接触された端子電極が第二端子電極２であると共に第二プローブ２５に接触された外部導体が第二外部導体４である状態で、積層コンデンサＣ４が判別装置２１にセットされている。第二端子電極２と第二外部導体４とは電気的に接続されていないため、第二端子電極２と第二外部導体４との間は絶縁された状態にある。したがって、測定器２７は、第一プローブ２３と第二プローブ２５との間が、絶縁された状態であると判定し、積層コンデンサＣ４の方向が不明であることが判別される。
【００９７】
図２７では、第一プローブ２３に接触された端子電極が第二端子電極２であると共に第二プローブ２５に接触された外部導体が第一外部導体３である状態で、積層コンデンサＣ４が判別装置２１にセットされている。第一外部導体３は、すべての第一内部電極１１と接続されているため、第二端子電極２と第一外部導体３との間は静電容量が形成される状態にある。したがって、測定器２７は、第一プローブ２３と第二プローブ２５との間が、静電容量が形成された状態であると判定し、積層コンデンサＣ４の方向が、第二主面Ｌｂが上を向いている状態にあることが判別される。
【００９８】
図２８では、第一プローブ２３に接触された端子電極が第一端子電極１であると共に第二プローブ２５に接触された外部導体が第二外部導体４である状態で、積層コンデンサＣ４が判別装置２１にセットされている。第一端子電極１と第二外部導体４とは電気的に接続されていないため、第一端子電極１と第二外部導体４との間は絶縁された状態にある。したがって、測定器２７は、第一プローブ２３と第二プローブ２５との間が、絶縁された状態であると判定し、積層コンデンサＣ４の方向が不明であることが判別される。
【００９９】
次に、判別工程において判別した積層コンデンサＣ４の方向に基づいて、積層コンデンサＣ４の方向が揃えられた状態で、積層コンデンサＣ４を配置して梱包する（梱包工程）。積層コンデンサＣ４は、図２９に示されるように、第二主面Ｌｂがキャリアテープ３１の開口部側を向くように、凹部３１ａに収容される。その後、カバーテープ３２により、凹部３１ａの開口部が覆われて、梱包が完了する。積層コンデンサＣ４の梱包材３０への梱包では、第二主面Ｌｂが上を向いている状態にあると判別工程にて判別された積層コンデンサＣ４のみを選別し、選別された積層コンデンサＣ４を、第二主面Ｌｂが上を向いた状態を維持して、凹部３１ａに収容してもよい。
【０１００】
以上のように、本第４実施形態によっても、画像処理技術を用いることなく、簡便且つ確実に積層コンデンサＣ４の方向を判別することができる。また、方向を認識するためのマークを素体Ｌに形成することなく、積層コンデンサＣ４の方向を判別することができる。したがって、小型化が図られた積層コンデンサＣ４の方向を判別するに際しても、その方向を確実に判別することができる。
【０１０１】
本第４実施形態でも、積層コンデンサＣ４を製造する際に、第一内部電極１１を構成することとなる電極パターンと第二内部電極１３を構成することとなる電極パターンと、を形成すればよく、第１及び第２実施形態に比して、製造工程が簡便となる。
【０１０２】
以上、本発明の好適な実施形態について説明してきたが、本発明は必ずしも上述した実施形態に限定されるものではなく、その要旨を逸脱しない範囲で様々な変更が可能である。
【０１０３】
第一内部導体１５の数は、上述した実施形態における一つに限られることなく、複数であってもよい。第二内部導体１７の数は、上述した実施形態における一つに限られることなく、複数であってもよい。第一内部導体１５の形状は、上述した実施形態における形状に限られることなく、第一端子電極１と第一外部導体３とに接続される形状であればよい。第二内部導体１７の形状は、上述した実施形態における形状に限られることなく、第二端子電極２と第二外部導体４とに接続される形状であればよい。第一及び第二内部導体１５，１７の第一及び第二主面Ｌａ，Ｌｂの対向方向での位置、すなわち積層位置は、上述した実施形態に示された位置に限られることなく、たとえば、同一平面内に位置していてもよい。
【０１０４】
外層部Ｌ２の厚みは、外層部Ｌ３の厚みよりも厚く設定されているが、これに限られない。外層部Ｌ３の厚みが、外層部Ｌ２の厚みよりも厚く設定されていてもよい。この場合、積層コンデンサＣ１，Ｃ２は、第一主面Ｌａがキャリアテープ３１の開口部側を向くように、凹部３１ａに収容され、梱包されることとなる。積層コンデンサＣ１，Ｃ２の梱包材３０への梱包では、第一主面Ｌａが上を向いている状態にあると判別工程にて判別された積層コンデンサＣ１，Ｃ２のみを選別し、選別された積層コンデンサＣ１，Ｃ２を、第一主面Ｌａが上を向いた状態を維持して、凹部３１ａに収容してもよい。また、外層部Ｌ２の厚みが、外層部Ｌ３の厚みと同等に設定されていてもよい。
【０１０５】
本発明は、何らかの要因により、方向性が規定される積層コンデンサに適用できる。たとえば、図３０に示されるように、積層コンデンサＣ５において、第一主面Ｌａに丸みがある場合、積層コンデンサＣ５は、素体Ｌの第二主面Ｌｂが電子機器と対向するように実装されることが好ましい。すなわち、積層コンデンサＣ５は、第一主面Ｌａが電子機器と対向するように実装される場合、第一主面Ｌａの丸みにより傾き、吸着ヘッドでのピッキングが困難となる、又は、電子機器に載置した際に転がるなどの問題点が生じる懼れがある。
【０１０６】
図３０に示された積層コンデンサＣ５では、第一主面Ｌａがキャリアテープ３１の開口部側を向くように、凹部３１ａに収容され、梱包されることとなる。積層コンデンサＣ５の梱包材３０への梱包では、第一主面Ｌａが上を向いている状態にあると判別工程にて判別された積層コンデンサＣ５のみを選別し、選別された積層コンデンサＣ５を、第一主面Ｌａが上を向いた状態を維持して、凹部３１ａに収容してもよい。
【０１０７】
積層コンデンサＣ５は、上述した積層コンデンサＣ２と同じく、第二内部導体１７を備えていなくてもよい。積層コンデンサＣ５は、上述した積層コンデンサＣ３と同じく、素体Ｌ内に配置される導体が複数の第一及び第二内部電極１１，１３のみであると共に、すべての第一及び第二内部電極１１，１３が、主電極部１１ａ，１３ａと、引出電極部１１ｂ，１３ｂと、引出電極部１１ｃ，１３ｃと、を有していてもよい。積層コンデンサＣ５は、上述した積層コンデンサＣ４と同じく、素体Ｌ内に配置される導体が複数の第一及び第二内部電極１１，１３のみであると共に、すべての第一及び第二内部電極１１が、主電極部１１ａと、引出電極部１１ｂと、引出電極部１１ｃと、を有していてもよい。
【符号の説明】
【０１０８】
１…第一端子電極、２…第二端子電極、３…第一外部導体、４…第二外部導体、１１…第一内部電極、１３…第二内部電極、１５…第一内部導体、１７…第二内部導体、２１…判別装置、２３…第一プローブ、２５…第二プローブ、２７…測定器、Ｃ１，Ｃ２…積層コンデンサ、Ｌ…素体、Ｌａ…第一主面、Ｌｂ…第二主面、Ｌｃ…第一側面、Ｌｄ…第二側面、Ｌｅ…第三側面、Ｌｆ…第四側面。
【図１】
2014157913.tif 000003
【図２】
2014157913.tif 000004
【図３】
2014157913.tif 000005
【図４】
2014157913.tif 000006
【図５】
2014157913.tif 000007
【図６】
2014157913.tif 000008
【図７】
2014157913.tif 000009
【図８】
2014157913.tif 000010
【図９】
2014157913.tif 000011
【図１０】
2014157913.tif 000012
【図１１】
2014157913.tif 000013
【図１２】
2014157913.tif 000014
【図１３】
2014157913.tif 000015
【図１４】
2014157913.tif 000016
【図１５】
2014157913.tif 000017
【図１６】
2014157913.tif 000018
【図１７】
2014157913.tif 000019
【図１８】
2014157913.tif 000020
【図１９】
2014157913.tif 000021
【図２０】
2014157913.tif 000022
【図２１】
2014157913.tif 000023
【図２２】
2014157913.tif 000024
【図２３】
2014157913.tif 000025
【図２４】
2014157913.tif 000026
【図２５】
2014157913.tif 000027
【図２６】
2014157913.tif 000028
【図２７】
2014157913.tif 000029
【図２８】
2014157913.tif 000030
【図２９】
2014157913.tif 000031
【図３０】
2014157913.tif 000032